(57)【要約】【課題】取扱い易く、差込ピンの互換装着作業能率を向上でき、固定ネジの頭部の摩耗、損傷を防止でき、差込ピンの装着安定性がより増し、構成簡素で、堅牢で、耐久性に優れ、量産に適し、低廉となり、経済的な孔明け圧潰ローターを提供する。【解決手段】ローター基体１と、複数のピン受ブロック体１０と、複数のピン保持ブロック体１５と、複数の差込ピン２０とを備え、差込ピン２０は、軸部２１と頭部２２とからなり、ピン保持ブロック体１５には、ピン挿通孔１６を複数穿設し、ネジ止孔１７を複数穿設し、ネジ用凹部１８を複数凹設し、ピン受ブロック体１０には、雌ネジ孔１１を複数設け、ピン用凹部１２を凹設し、差込ピン２０の頭部２２をピン受ブロック体１０とピン保持ブロック体１５とで挟圧保持するように構成する。【選択図】図２
0003123878.tif 000002
【実用新案登録請求の範囲】
【請求項１】
使用済みのペットボトルに孔を明けると共にこれを圧潰できるようにしたペットボトル用孔明け圧潰ローターであって、その両端に軸が連設されるローター基体と、このローター基体の周胴部外周表面に固着される複数のピン受ブロック体と、このピン受ブロック体の先端面部分に複数の固定ネジを介して取外し可能に固定されるピン保持ブロック体と、このピン保持ブロック体及びピン受ブロック体によって着脱自在に保持される複数の差込ピンとを備え、差込ピンは、先端先鋭な軸部と、この軸部の基端部分に連設される頭部とからなり、ピン保持ブロック体には、差込ピンの軸部が挿通可能なピン挿通孔が複数穿設され、固定ネジの軸部が挿通可能なネジ止孔が複数穿設され、固定ネジの頭部が収容可能なネジ用凹部が複数凹設され、ピン受ブロック体には、固定ネジが螺着可能な雌ネジ孔が複数設けられると共に、差込ピンの頭部が収容可能なピン用凹部が凹設され、差込ピンの頭部がピン受ブロック体とピン保持ブロック体とで挟圧保持されるように構成したことを特徴とするペットボトル用孔明け圧潰ローター。
【請求項２】
使用済みのペットボトルに孔を明けると共にこれを圧潰できるようにしたペットボトル用孔明け圧潰ローターであって、その両端に軸が連設されるローター基体と、このローター基体の周胴部外周表面に固着される複数のピン受ブロック体と、このピン受ブロック体の先端面部分に複数の固定ネジを介して取外し可能に固定されるピン保持ブロック体と、このピン保持ブロック体及びピン受ブロック体によって着脱自在に保持される複数の差込ピンとを備え、差込ピンは、先端先鋭な軸部と、この軸部の基端部分に連設される頭部とからなり、ピン保持ブロック体には、差込ピンの軸部が挿通可能なピン挿通孔が複数穿設され、固定ネジの軸部が挿通可能なネジ止孔が複数穿設され、固定ネジの頭部が収容可能なネジ用凹部が複数凹設され、差込ピンの頭部が収容可能なピン用凹部が凹設され、ピン受ブロック体には、固定ネジが螺着可能な雌ネジ孔が複数設けられ、差込ピンの頭部がピン受ブロック体とピン保持ブロック体とで挟圧保持されるように構成したことを特徴とするペットボトル用孔明け圧潰ローター。
【考案の詳細な説明】
【技術分野】
【０００１】
本考案は、例えば、ペットボトルの回収車や、適宜圧潰処理装置や設備等に内蔵されて、使用済みペットボトルに複数の孔を明けると共に、これを圧潰して、減容できるようにしたペットボトル用孔明け圧潰ローターに関するものである。
【背景技術】
【０００２】
従来、この種のペットボトル用の孔明け圧潰ローターとしては、例えば、特許文献１の実施例のようなものが開示されている。
そして、特許文献１中の一つの実施例は、ロールセットの複数のアームバーに複数の穴開け針を突設させたもので、穴開け針は、先端の針部と、中央のナット部と、基端のネジ部とからなり、このネジ部をアームバーの雌ネジ孔に螺着させて構成したものである。
また、他の実施例は、複数の穴開け針を針バーに螺着し、この針バーをアームバーにネジ止めして構成したものである。
更に、他の実施例は、複数の穴開け針を針バーに挿通し、この穴開け針をナットで針バーに締着し、この針バーをアームバーにネジ止めして構成したものである。
【０００３】
【特許文献１】特開２００４−１３６３０９（図４、図１１、図１３参照）
【考案の開示】
【考案が解決しようとする課題】
【０００４】
ところが、前述の如き孔明け圧潰ローターにあっては、多数のペットボトルを処理したときに、摩耗、損傷する針の互換装着が比較的面倒であった。すなわち、穴開け針中央のナット部や、針バーをアームバーに固定するネジの頭部や、或いは、穴開け針を針バーに締着するナット等が、外部に露出しているために、これらが摩耗、損傷してしまい、穴開け針の互換装着作業に手間がかかる等の難点があった。
そこで、本考案は、前述の如き難点等を解消できるようにすると共に、取扱い易く、互換装着作業の作業能率を向上でき、しかも、構成が簡素で、堅牢で、耐久性に優れ、量産に適し、比較的低廉となり、経済的なペットボトル用孔明け圧潰ローターを提供すべく案出されたものである。
【課題を解決するための手段】
【０００５】
しかして、前述の如き課題等を達成すべく、請求項１記載のペットボトル用孔明け圧潰ローターＡにあっては、使用済みのペットボトルに孔を明けると共にこれを圧潰できるようにしたペットボトル用孔明け圧潰ローターであって、その両端に軸５が連設されるローター基体１と、このローター基体１の周胴部２外周表面に固着される複数のピン受ブロック体１０と、このピン受ブロック体１０の先端面部分に複数の固定ネジ２５を介して取外し可能に固定されるピン保持ブロック体１５と、このピン保持ブロック体１５及びピン受ブロック体１０によって着脱自在に保持される複数の差込ピン２０とを備え、差込ピン２０は、先端先鋭な軸部２１と、この軸部２１の基端部分に連設される頭部２２とからなり、ピン保持ブロック体１５には、差込ピン２０の軸部２１が挿通可能なピン挿通孔１６が複数穿設され、固定ネジ２５の軸部が挿通可能なネジ止孔１７が複数穿設され、固定ネジ２５の頭部が収容可能なネジ用凹部１８が複数凹設され、ピン受ブロック体１０には、固定ネジ２５が螺着可能な雌ネジ孔１１が複数設けられると共に、差込ピン２０の頭部２２が収容可能なピン用凹部１２が凹設され、差込ピン２０の頭部２２がピン受ブロック体１０とピン保持ブロック体１５とで挟圧保持されるように構成する手段を採用した。
【０００６】
また、請求項２記載のペットボトル用孔明け圧潰ローターＡにあっては、使用済みのペットボトルに孔を明けると共にこれを圧潰できるようにしたペットボトル用孔明け圧潰ローターであって、その両端に軸５が連設されるローター基体１と、このローター基体１の周胴部２外周表面に固着される複数のピン受ブロック体１０と、このピン受ブロック体１０の先端面部分に複数の固定ネジ２５を介して取外し可能に固定されるピン保持ブロック体１５と、このピン保持ブロック体１５及びピン受ブロック体１０によって着脱自在に保持される複数の差込ピン２０とを備え、差込ピン２０は、先端先鋭な軸部２１と、この軸部２１の基端部分に連設される頭部２２とからなり、ピン保持ブロック体１５には、差込ピン２０の軸部２１が挿通可能なピン挿通孔１６が複数穿設され、固定ネジ２５の軸部が挿通可能なネジ止孔１７が複数穿設され、固定ネジ２５の頭部が収容可能なネジ用凹部１８が複数凹設され、差込ピン２０の頭部２２が収容可能なピン用凹部１９が凹設され、ピン受ブロック体１０には、固定ネジ２５が螺着可能な雌ネジ孔１１が複数設けられ、差込ピン２０の頭部２２がピン受ブロック体１０とピン保持ブロック体１５とで挟圧保持されるように構成する手段を採用した。
【考案の効果】
【０００７】
従って、本考案の請求項１記載のペットボトル用孔明け圧潰ローターＡによれば、固定ネジ２５を取外して、ピン保持ブロック体１５のピン挿通孔１６に差込まれている差込ピン２０を抜き、新しい差込ピン２０を差込んで、ピン保持ブロック体１５を固定ネジ２５でピン受ブロック体１０に固定するだけで、差込ピン２０の互換装着作業が完了するため、取扱い易く、差込ピン２０の互換装着作業の作業能率を向上できるようになる。
しかも、構成が簡素で、堅牢で、耐久性に優れ、量産に適し、比較的低廉となり、経済的なペットボトル用孔明け圧潰ローターＡを提供できるようになる。
【０００８】
特に、固定ネジ２５の頭部がネジ用凹部１８内に収容されるので、この頭部が作業中に摩耗、損傷する虞がなくなり、固定ネジ２５を何時でも確実に着脱できるようになる。
【０００９】
加えて、差込ピン２０の頭部２２は、ピン受ブロック体１０のピン用凹部１２に収まるので、差込ピン２０の装着安定性がより増すようになる。
【００１０】
また、本考案の請求項２記載のペットボトル用孔明け圧潰ローターＡによれば、固定ネジ２５を取外して、ピン保持ブロック体１５のピン挿通孔１６に差込まれている差込ピン２０を抜き、新しい差込ピン２０を差込んで、ピン保持ブロック体１５を固定ネジ２５でピン受ブロック体１０に固定するだけで、差込ピン２０の互換装着作業が完了するため、取扱い易く、差込ピン２０の互換装着作業の作業能率を向上できるようになる。
しかも、構成が簡素で、堅牢で、耐久性に優れ、量産に適し、比較的低廉となり、経済的なペットボトル用孔明け圧潰ローターＡを提供できるようになる。
【００１１】
特に、固定ネジ２５の頭部がネジ用凹部１８内に収容されるので、この頭部が作業中に摩耗、損傷する虞がなくなり、固定ネジ２５を何時でも確実に着脱できるようになる。
【００１２】
加えて、差込ピン２０の頭部２２は、ピン保持ブロック体１５のピン用凹部１９に収まるので、差込ピン２０の装着安定性がより増すようになる。
【考案を実施するための最良の形態】
【００１３】
以下、本考案を図示例に基づいて説明すると、次の通りである。
本考案は、例えば、ペットボトルの回収車や、適宜圧潰処理装置や設備等に内蔵されて、使用済みペットボトルに複数の孔を明けると共に、これを圧潰して、減容できるようにしたペットボトル用の孔明け圧潰ローターＡである。
そして、この孔明け圧潰ローターＡは、その両端の側板部３に軸５が連設されるローター基体１と、このローター基体１の周胴部２外周表面に固着される複数のピン受ブロック体１０と、このピン受ブロック体１０の先端面部分に複数の固定ネジ２５を介して取外し可能に固定されるピン保持ブロック体１５と、このピン保持ブロック体１５及びピン受ブロック体１０によって着脱自在に保持される複数の差込ピン２０とを備えたものである。
更に、差込ピン２０は、先端先鋭な軸部２１と、この軸部２１の基端部分に連設されると共に、軸部２１より大きな径の頭部２２とからなり、また、ピン保持ブロック体１５には、差込ピン２０の軸部２１が挿通可能となるように穿設される複数の挿通孔１６と、固定ネジ２５の軸部が挿通可能となるように穿設される複数のネジ止孔１７と、固定ネジ２５の頭部が収容可能となるようネジ止孔１７部分に凹設される複数のネジ用凹部１８とが形成され、ピン受ブロック体１０には、固定ネジ２５が螺着可能となるよう設けられる複数の雌ネジ孔１１と、差込ピン２０の頭部２２が収容可能となるよう凹設される複数のピン用凹部１２とが形成され、差込ピン２０の頭部２２がピン受ブロック体１０とピン保持ブロック体１５とで挟圧保持されるように構成してある。
尚、ピン保持ブロック体１５に差込ピン２０の頭部２２が収容可能となるピン用凹部１９を設けても良い。
【実施例】
【００１４】
前記孔明け圧潰ローターＡは、例えば、図１に示すように、その回転中心線が所定の間隔を隔てた状態で、且つ平行となるように少なくとも一組単位で配され、ペットボトルの回収車や、適宜圧潰処理装置や設備等に内装できるように形成されている。しかも、適宜駆動手段に連繋されて、同期回転するように形成されている。
更に、一組の孔明け圧潰ローターＡは、上方から下方（或いは、斜め上方から斜め下方）にペットボトルが移動するような巻込み回転をするよう形成され、また、一方の孔明け圧潰ローターＡのピン受ブロック体１０及びピン保持ブロック体１５及び差込ピン２０と、他方の孔明け圧潰ローターＡのピン受ブロック体１０及びピン保持ブロック体１５及び差込ピン２０とが、相互に干渉しないように配設されている。
【００１５】
前記ローター基体１は、例えば、適宜金属材によって構成されるもので、略円筒状に形成される周胴部２と、この周胴部２の左右端部に固定される略円板状の左右側板部３とからなる。そして、この左右側板部３の中央に軸５が夫々固定され、この軸５によって支えられると共に駆動回転できるように形成されている。尚、軸５は、一本の長尺なものでも良い。
【００１６】
前記ピン受ブロック体１０は、例えば、適宜金属材によって構成されるもので、略角棒状を呈し、ローター基体１の周胴部２の外周表面に、全周に亙って一定間隔に固着（溶着）されている。尚、ピン受ブロック体１０は、その長手方向がローター基体１の回転中心に対して平行となるように配されているが、回転中心に対して平行でなくても良いし、曲線状に形成されたものでも良い。
【００１７】
前記雌ネジ孔１１は、例えば、ピン受ブロック体１０の先端面部分から周胴部２に向うように配されており、ピン受ブロック体１０を貫通するように設けても良いし、或いは、貫通しなくても良い。尚、雌ネジ孔１１は、ピン受ブロック体１０の長手方向に沿って等間隔に多数配設されている。
【００１８】
前記ピン用凹部１２は、例えば、ピン受ブロック体１０の先端面部分に凹設されるもので、差込ピン２０の頭部２２を安定的に収容できるように形成されている。尚、差込ピン２０の回転等を阻止すべく頭部２２に合致するように形成してあっても良い。また、ピン用凹部１２は、ピン受ブロック体１０の長手方向に沿って等間隔に多数配設されていると共に、前記雌ネジ孔１１の間に配設されている。
【００１９】
前記ピン保持ブロック体１５は、例えば、適宜金属材によって構成されるもので、略角棒状を呈し、ピン受ブロック体１０の先端面に密接状に重なって固定できるように形成されている。
【００２０】
前記ピン挿通孔１６は、例えば、ピン保持ブロック体１５の先端面部分と基端面部分とを貫通するような丸孔で形成されており、差込ピン２０の軸部２１がガタつきなくスムーズに挿通できるように形成されている。尚、ピン挿通孔１６は、ピン保持ブロック体１５の長手方向に沿って等間隔に多数配設されていると共に、前記ピン用凹部１２に合致するように配設されている。
【００２１】
前記ネジ止孔１７は、例えば、ピン保持ブロック体１５の先端面部分と基端面部分とを貫通するような丸孔で形成されており、固定ネジ２５の軸部がガタつきなくスムーズに挿通できるように形成されている。尚、ネジ止孔１７は、ピン保持ブロック体１５の長手方向に沿って等間隔に多数配設されていると共に、前記雌ネジ孔１１に合致するように配設されている。
【００２２】
前記ネジ用凹部１８は、例えば、ピン保持ブロック体１５の先端面部分に凹設されると共に、丸穴状に形成されるもので、固定ネジ２５の頭部を収容できるように形成されている。
【００２３】
前記ピン用凹部１９は、図５、図６に示すように、例えば、ピン保持ブロック体１５の基端面部分に凹設されるもので、差込ピン２０の頭部２２を安定的に収容できるように形成されている。尚、差込ピン２０の回転等を阻止すべく頭部２２に合致するように形成してあっても良い。
【００２４】
前記差込ピン２０は、例えば、その強度や硬度や靱性等の高い適宜金属材や適宜複合材等によって構成され、略細長円柱状でその先端部分が先鋭となっている軸部２１と、この軸部２１の基端部分に連設される頭部２２とからなっている。
尚、軸部２１は、簡単に変形したりすることなく、ペットボトルに簡単に且つ確実に孔明けできるものであれば良い。
また、頭部２２は、軸部２１より大径で、差込ピン２０がピン挿通孔１６から抜けないように形成されていると共に、ピン用凹部１２、１９に安定的に収容できるものであれば良い。
【００２５】
前記固定ネジ２５は、例えば、その頭部が短円柱状で、その頂面に六角穴が設けられた六角穴付ボルトが利用される。すなわち、頭部がネジ用凹部１８内に隠れるように収容されても、これを確実に回転せしめられるように形成されたものが採用される。
【００２６】
ところで、孔明け圧潰ローターＡの具体的構成、形状、寸法、材質、ローター基体１の具体的構成、形状、寸法、材質、周胴部２の具体的構成、形状、寸法、材質、側板部３の具体的構成、形状、寸法、材質、軸５の具体的構成、形状、寸法、材質、ピン受ブロック体１０の具体的構成、形状、寸法、材質、ローター基体１への具体的固着手段、数、配設状態、雌ネジ孔１１の具体的構成、形状、寸法、数、配設位置、ピン用凹部１２の具体的構成、形状、寸法、数、配設位置、ピン保持ブロック体１５の具体的構成、形状、寸法、材質、数、配設位置、ピン挿通孔１６の具体的構成、形状、寸法、数、配設位置、ネジ止孔１７の具体的構成、形状、寸法、数、配設位置、ネジ用凹部１８の具体的構成、形状、寸法、数、配設位置、ピン用凹部１９の具体的構成、形状、寸法、数、配設位置、差込ピン２０の具体的構成、形状、寸法、材質、数、軸部２１の具体的構成、形状、寸法、材質、頭部２２の具体的構成、形状、寸法、材質、固定ネジ２５の具体的構成、形状、寸法、材質、数、配設位置等は図示例のもの等に限定されることなく適宜自由に設定、変更できるものである。
【図面の簡単な説明】
【００２７】
【図１】本考案のペットボトル用孔明け圧潰ローターを例示する縦断側面図である。
【図２】本考案のペットボトル用孔明け圧潰ローターを例示する縦断正面図である。
【図３】本考案のペットボトル用孔明け圧潰ローターを例示する一部切欠側面図である。
【図４】本考案のペットボトル用孔明け圧潰ローターを例示する分解斜視図である。
【図５】本考案の他のペットボトル用孔明け圧潰ローターを例示する縦断正面図である。
【図６】本考案の他のペットボトル用孔明け圧潰ローターを例示する一部切欠側面図である。
【符号の説明】
【００２８】
Ａ      圧潰ローター
１      ローター基体
２      周胴部
３      側板部
５      軸
１０    ピン受ブロック体
１１    雌ネジ孔
１２    ピン用凹部
１５    ピン保持ブロック体
１６    ピン挿通孔
１７    ネジ止孔
１８    ネジ用凹部
１９    ピン用凹部
２０    差込ピン
２１    軸部
２２    頭部
２５    固定ネジ
【図１】
0003123878.tif 000003
【図２】
0003123878.tif 000004
【図３】
0003123878.tif 000005
【図４】
0003123878.tif 000006
【図５】
0003123878.tif 000007
【図６】
0003123878.tif 000008